(57)【要約】      （修正有）【課題】ケーブル敷設現場で箱からのケーブル取り出し、収納を容易にし、自動ブレーキ構造によりケーブル絡みを解消し、作業の効率化を図ることを可とするケーブル繰り出し装置の回転台を提供する。【解決手段】回転台２に乗せられたケーブルを引き出すと、ケーブルが各スタット３に巻きつき、それによりスタットを直立させ、スタットが直立することで、スタットと一体のブレーキパット４がブレーキディスク５から離れ、ブレーキが解除され回転台がケーブル引き出しに合わせて回転する。さらに、ケーブルの引き出しをやめると、ケーブルの巻きつきが緩みスタットが外側に倒れ、それにより、スタットと一体のブレーキパットがブレーキディスクと接触しブレーキがかかることでケーブル引き出しをやめると、すみやかに回転台の回転を停止することを特徴として、ケーブル繰り出し回転台を構成する。【選択図】図４
0003157756.tif 000002
【実用新案登録請求の範囲】
【請求項１】
基台にブレーキディスクを配置し、そして基台の上に回転台を乗せる。
回転台にはスタットが組み込まれており、スタットはブレーキパットと一体となっている。
スタットは回転台を貫通し、また、スタットの位置をケーブル内径に合わせることが可能で、スタットを回転台中心から外側の間でスライドさせ、固定することができる。
スタットは回転台外側に向かって自由に倒れ、これによりスタットと一体になっているブレーキパットが基台に配置されたブレーキディスクに接触する。この接触によりブレーキがかかり、回転を停止させる構造となっている。
以上の構造により、回転台に乗せられたケーブルを引き出すと、ケーブルが各スタットに巻きつき、それによりスタットを直立させる。
スタットが直立することで、スタットと一体のブレーキパットがブレーキディスクから離れ、ブレーキが解除され回転台がケーブル引き出しに合わせて回転する。
ケーブルの引き出しをやめると、ケーブルの巻きつきが緩みスタットが外側に倒れる。
それにより、スタットと一体のブレーキパットがブレーキディスクと接触しブレーキがかかる。
ケーブル引き出しをやめると、すみやかに回転台の回転を停止するケーブル繰り出し回転台。
【請求項２】
ケーブル取り出し口を開口したダンボール箱入りケーブルを、取り出し口より内側にスタットを配置した回転台に設置し、箱底より取り出し口上部にスタットを突き出すことにより、箱入りのケーブルも繰り出し可能な回転台。
【考案の詳細な説明】
【技術分野】
【０００１】本考案は、電線等、ケーブル繰り出しに関する。
【背景技術】
【０００２】  ケーブル敷設現場での箱からのケーブルの取り出し、収納の煩わしさともつれ、回転しすぎによるケーブルの飛び出し、絡みがよく視られる。
【先行技術文献】
【特許文献】
【０００３】特開２００２−０６０１４３
【考案の概要】
【考案が解決しようとする課題】
【０００４】  本考案は、ケーブル敷設現場で箱からのケーブル取り出し、収納の煩わしさの解消、自動ブレーキ構造により回転台が回りすぎによるケーブル絡みを解消し、作業の効率化を図る。
【課題を解決するための手段】
【０００５】  ブレーキディスク５を有する基台１と、ブレーキパット４一体のスタット３を持つ回転台２により構成され、スタット３はブレーキパット４の自重により回転台外側に自由に傾く事によりブレーキパット４がブレーキディスク５と接触する構造３ａで、ケーブル１６引き出しにより、ケーブル１６がスタット３に巻きつきスタット３は直立し、ブレーキパット４は、基台ブレーキディスク５と離れ回転する。
ケーブル１６引き出し停止によりケーブル１６が緩みスタット３が傾きパット４がディスク５と接触、ブレーキが働き回転は停止する３ａ。【０００６】  ケーブル取り出し口１５を開口した段ボール箱入り電線１４を取り出し口１５より内側にスタット３を配置した回転台２に設置し、スタット３を箱底より取り出し口１５上部へ突き出すことにより箱入りのままでもケーブル１６の繰り出しを提供する図６。
【考案の効果】
【０００７】  ケーブル敷設現場での段ボール箱入りケーブル使用時における取出し、収納の煩わしさ、もつれ等の解消、自動ブレーキによりケーブル引き出し停止時の回転しすぎによるケーブル飛び出し、絡みの解消で作業の効率化が図られる。
【図面の簡単な説明】
【０００８】  ブレーキディスクを有する基台とブレーキパット一体のスタットを有する回転台およびケーブルガイドからなり、スタットはケーブル内径調節のため横にスライドし固定されブレーキパットの自重で自由に回転台外側に傾き、ブレーキパットとディスクが接触する。
また、回転台中心近くへスライドすることでブレーキシューから離れ完全に倒れ収納できる。
ケーブルガイドは持ち運びのため収納でき使用時、引き出し立ち上げ固定する。
【図１】回転台全体図
【図２】平面図
【図３】正面図
【図４】スタット及びブレーキ部、断面図
【図５】スタット及びブレーキ部、正面図
【図６】箱入りケーブル回転台使用図
【考案を実施するための形態】
【０００９】  基台１にはブレーキディスク５を配置し、回転台２には外側に向かって自由に傾くスタット３を有し、スタット３には一体のブレーキパット４を持つ。スタット３がパット４の自重で外側に傾いた状態３ａで、パット４はディスク５と接触する。また、横にスライドしケーブル内径と調節できる構造であり、回転軸寄りにスライドした状態３ｂで完全に倒れ収納可能となり、最も回転軸側で、スタット立ち上がり防止台１０により収納時不要な立ち上がりを防ぐ、ケーブルガイド１３は持ち運びのため倒れスライド収納となる。
【実施例】
【００１０】  ブレーキディスク５を配置された基台１上に回転台２があり、回転台２は回転軸１１近くより外側に向かい細長く貫通しており、スライドレール６が設置され、ある程度重さのあるブレーキパット４と一体のスタット３が設置され、ブレーキパット４は回転台２下部に、スタット３は回転台２上部へと突き抜け、レール６内のスライド板７にヒンジ８にて固定され、回転台２外側に向かって自由に倒れるがブレーキディスク５上では１５度ほど傾くとパット４はディスク５と接触する３ａ。スライド板７は自由位置に固定でき回転軸１１近くにてブレーキディスク５上より外れ完全に倒れ収納する、最も回転軸側でスタット立ち上がり防止台１０により収納時の不要な立ち上がりを防止する３ｂ。
ケーブルガイド１３は持ち運びの為内側に倒れ収納し、使用時引き出し立ち上げ固定する。
ケーブル１６引き出しによりケーブルがスタット３に巻きつき、スタット３が直立しブレーキパット４がディスク５と離れ回転する、引き出し停止によりケーブル１６が緩みスタット３が外側に倒れ３ａブレーキパット４がブレーキディスク５と接触し回転が停止する。
【産業上の利用可能性】
【００１１】  作業現場において設置、ケーブル収納が簡単でケーブルもつれもなく作業の効率化が図られる。
【符号の説明】
【００１２】１      基台
２      回転台
３      スタット
４      ブレーキパット
５      ブレーキディスク
６      スライドレール
７      スライド板
８      ヒンジ
９      スライド板固定ネジ
１０    収納時スタット立ち上がり防止台
１１    回転軸
１２    ベアリング
１３    ケーブルガイド
１４    箱入り電線
１５    ケーブル取り出し口
１６    ケーブル
【図１】
0003157756.tif 000003
【図２】
0003157756.tif 000004
【図３】
0003157756.tif 000005
【図４】
0003157756.tif 000006
【図５】
0003157756.tif 000007
【図６】
0003157756.tif 000008
【手続補正書】
【提出日】平成21年11月30日(2009.11.30)
【手続補正１】
【補正対象書類名】実用新案登録請求の範囲
【補正対象項目名】請求項１
【補正方法】変更
【補正の内容】
【請求項１】
（１）基台にブレーキディスクを配置し、そして基台の上に回転台を乗せ、  （２）回転台にはスタットが組み込まれており、スタットはブレーキパットと一体となっており、  （３）スタットは回転台を貫通し、また、スタットの位置をケーブル内径に合わせることが可能なように、回転台に設けたスライドレールに沿ってスタットを回転台中心から半径方向外側との間でスライドさせ、固定することができ、  （４）スタットはブレーキパットの自重により回転台の半径方向外側に向かって自由に倒れ、これによりスタットと一体になっているブレーキパットが基台に配置されたブレーキディスクに接触し、この接触によりブレーキがかかり、回転台の回転を停止させる構造を有しており、以上の構造により、  （ア）回転台に乗せられたケーブルを引き出すと、ケーブルが各スタットに巻きつき、それによりスタットを直立させ、スタットが直立することで、スタットと一体のブレーキパットがブレーキディスクから離れ、ブレーキが解除され回転台がケーブル引き出しに合わせて回転し、  （イ）ケーブルの引き出しをやめると、ケーブルの巻きつきが緩みスタットが外側に倒れ、それにより、スタットと一体のブレーキパットがブレーキディスクと接触しブレーキがかかることでケーブル引き出しをやめると、すみやかに回転台の回転を停止することを特徴とする、ケーブル繰り出し回転台。